(57)【要約】【課題】過去の検査結果を用いて、被験者の疲労度などの状態に関する判定を行うことができる反応検査装置等を提供する。【解決手段】１回の検査ごとに、２個の数字をランダムに表示する表示部１と、表示に対する反応を受け付ける反応受付部２と、反応受付部２で受け付けられた反応に関する情報である反応情報を生成する反応情報生成部３と、反応情報を記憶する記憶部４と、特定の回の検査に対応する反応情報と、特定の回の検査より以前の検査に対応する、記憶部４で記憶された反応情報とに基づいて、特定の回の検査に関する判定を行う判定部５と、判定結果を出力する出力部６とを備える。【選択図】  図１
2005000191.tif 000002
【特許請求の範囲】
【請求項１】
１回の検査ごとに、２以上の記号を複数回表示する表示部と、前記２以上の記号の表示に対する反応を受け付ける反応受付部と、
前記反応受付部で受け付けられた反応に関する情報である反応情報を生成する反応情報生成部と、
前記反応情報を記憶する記憶部と、
特定の回の検査に対応する前記反応情報と前記特定の回の検査より以前の検査に対応する、前記記憶部で記憶された反応情報とに基づいて、前記特定の回の検査に関する判定を行う判定部と、
前記判定部により判定された結果を出力する出力部と、を備えた反応検査装置。
【請求項２】
前記反応情報は、前記反応に関する時間の情報及び／または前記反応に関する回数の情報を含む、請求項１記載の反応検査装置。
【請求項３】
前記反応情報は、前記表示と前記反応との整合性に関する情報を含む、請求項１または２記載の反応検査装置。
【請求項４】
前記表示部は、前記２以上の記号をランダムに表示する、請求項１から３のいずれか記載の反応検査装置。
【請求項５】
前記２以上の記号は２個の数字である、請求項１から４のいずれか記載の反応検査装置。
【請求項６】
前記判定部は、前記特定の回から、前記特定の回より所定回以前の回までのそれぞれの検査に対応する反応情報に基づいて前記判定を行う、請求項１から５のいずれか記載の反応検査装置。
【請求項７】
前記判定部は、前記記憶部で記憶された反応情報のうち、前記特定の回の検査の時点から所定の期間以内である反応情報に基づいて前記判定を行う、請求項１から５のいずれか記載の反応検査装置。
【請求項８】
１回の検査ごとに、２以上の記号を複数回表示する表示ステップと、
前記２以上の記号の表示に対する反応を受け付ける反応受付ステップと、
前記反応受付ステップで受け付けられた反応に関する情報である反応情報を生成する反応情報生成ステップと、
前記反応情報を記憶する記憶ステップと、
特定の回の検査に対応する前記反応情報と前記特定の回の検査より以前の検査に対応する、前記記憶ステップで記憶された反応情報とに基づいて、前記特定の回の検査に関する判定を行う判定ステップと、
前記判定ステップにより判定された結果を出力する出力ステップと、をコンピュータに実行させるためのプログラム。
【発明の詳細な説明】
【０００１】
【発明の属する技術分野】
本発明は、表示に対する反応に基づいて検査を行う反応検査装置等に関する。
【０００２】
【従来の技術】
従来から、数字の印刷された検査用紙を用いて一桁の数の足し算を一定時間行い、その結果によって心理的な分析を行うクレペリン検査が行われている。また、そのクレペリン検査を、情報処理装置を用いて実現する方法も開示されている（例えば、特許文献１参照。）。
【０００３】
クレペリン検査では、検査結果を分析することにより、被験者の物事の処理能力に関する面や、性格・行動様式に関する面などについて判定することができる。また、情報処理装置を用いてクレペリン検査を行うことで、１回の検査における計算時間の遷移などの時間的要素の入った検査結果に基づいて、より細かな分析・判定が可能となる。
【０００４】
【特許文献１】
特開２００１−１２０５２２号公報（第４頁−第６頁、第１図等）
【０００５】
【発明が解決しようとする課題】
しかしながら、従来のクレペリン検査では、１回の検査により処理能力等を判定しており、過去の結果に基づいた被験者の状態等（例えば、疲労度など）に関する判定をすることはできなかった。
【０００６】
本発明は、上記問題点を解決するためになされたものであり、過去の検査結果を用いて、被験者の状態等に関する判定を行うことができる反応検査装置等を提供することを目的とする。
【０００７】
【課題を解決するための手段】
上記目的を達成するため、本発明による反応検査装置は、１回の検査ごとに、２以上の記号を複数回表示する表示部と、前記２以上の記号の表示に対する反応を受け付ける反応受付部と、前記反応受付部で受け付けられた反応に関する情報である反応情報を生成する反応情報生成部と、前記反応情報を記憶する記憶部と、特定の回の検査に対応する前記反応情報と、前記特定の回の検査より以前の検査に対応する、前記記憶部で記憶された反応情報とに基づいて、前記特定の回の検査に関する判定を行う判定部と、前記判定部により判定された結果を出力する出力部とを備えたものである。
このように構成された本発明によれば、前記特定の回の検査に対して、それより以前の検査の結果に基づいて、被験者の状態等に関する判定を行うことができる。
【０００８】
また、本発明による反応検査装置では、前記反応情報が、前記反応に関する時間の情報及び／または前記反応に関する回数の情報を含んでもよい。
また、本発明による反応検査装置では、前記反応情報が、前記表示と前記反応との整合性に関する情報を含んでもよい。
【０００９】
また、本発明による反応検査装置では、前記表示部が、前記２以上の記号をランダムに表示してもよい。
また、本発明による反応検査装置では、前記２以上の記号が２個の数字であってもよい。
【００１０】
また、本発明による反応検査装置では、前記判定部が、前記特定の回から、前記特定の回より所定回以前の回までのそれぞれの検査に対応する反応情報に基づいて前記判定を行ってもよい。
このように構成された本発明によれば、例えば、定期的に検査を行っているような場合に、最近の検査の結果に基づいて、特定の回の検査に関する判定を行うことができる。したがって、加齢や検査への習熟により反応情報が長期的に変化するような場合であっても、その変化の影響をなくして、あるいは少なくして被験者の状態等を判定することができる。
【００１１】
また、本発明による反応検査装置では、前記判定部が、前記記憶部で記憶された反応情報のうち、前記特定の回の検査の時点から所定の期間以内である反応情報に基づいて前記判定を行ってもよい。
このように構成された本発明によれば、所定の期間を適切に設定することにより、最近の検査の結果に基づいて、特定の回の検査に関する判定を行うことができる。したがって、加齢や検査への習熟により反応情報が長期的に変化するような場合であっても、その変化の影響をなくして、あるいは少なくして被験者の状態等を判定することができる。
【００１２】
また、本発明によるプログラムは、１回の検査ごとに、２以上の記号を複数回表示する表示ステップと、前記２以上の記号の表示に対する反応を受け付ける反応受付ステップと、前記反応受付ステップで受け付けられた反応に関する情報である反応情報を生成する反応情報生成ステップと、前記反応情報を記憶する記憶ステップと、特定の回の検査に対応する前記反応情報と、前記特定の回の検査より以前の検査に対応する、前記記憶ステップで記憶された反応情報とに基づいて、前記特定の回の検査に関する判定を行う判定ステップと、前記判定ステップにより判定された結果を出力する出力ステップとをコンピュータに実行させるためのものである。
【００１３】
【発明の実施の形態】
以下、本発明の実施の形態について、図面を参照しながら説明する。
（実施の形態１）
図１は、本発明の実施の形態１による反応検査装置の構成を示すブロック図である。図１において、本実施の形態による反応検査装置は、表示部１と、反応受付部２と、反応情報生成部３と、記憶部４と、判定部５と、出力部６とを備える。
【００１４】
表示部１は、１回の検査ごとに２個の数字をランダムに表示し、その表示の内容を示す表示データ（すなわち、表示した２個の数字のデータ）を反応情報生成部３に渡す。ここで、１回の検査とは、２個の数字が複数回表示され、その各表示に対するユーザ（被験者）の反応が受け付けられ、その反応に基づいて判定がなされて、判定結果が出力される一連の処理のことである。表示部１は、表示に対するユーザからの反応があった旨を反応受付部２から受け取り次第、次の２個の数字の表示を行う。表示部１があらかじめ決められた時間、あるいはあらかじめ決められた回数だけ表示を行った場合には、その表示を終了する。なお、表示部１により行われる、ランダムに数字を発生させる乱数発生処理や、表示する数字の画像形成処理、その画像をディスプレイ等の表示デバイスに表示するためのドライバ処理などは、プログラム制御によるソフトウェアにより実現してもよく、あるいはハードウェアにより実現してもよい。さらに、表示部１は、表示デバイスを含んでもよく、含まなくてもよい。
【００１５】
反応受付部２は、入力デバイス（例えば、タッチパネルやソリッドボタンなど）から入力された数字データを受け付ける。その数字データは、表示部１で表示された２個の数字に対するユーザの反応として入力されたものである。反応受付部２は、ユーザからの反応（数字の入力）を受け付けるとすぐに表示部１に反応を受け付けた旨を渡し、また受け付けた反応の内容を示す反応データ（入力された数字のデータ）を反応情報生成部３に渡す。なお、反応受付部２は、入力デバイスを含んでもよく、あるいは、入力デバイスを含まず、入力デバイスに入力された反応に対応する信号を受け付けるものであってもよい。
【００１６】
反応情報生成部３は、表示データを表示部１から受け取り、表示に対するユーザの反応を示す反応データを反応受付部２から受け取る。そして、両者に基づいて、検査ごとに、ユーザからの反応に関する情報である反応情報を生成する。この反応情報には、例えば、１回目の表示の時点から所定の回数目の表示に対する反応が受け付けられた時点までの時間の情報や、表示と反応との整合性に関する情報が含まれる。反応情報生成部３は、生成した反応情報を記憶部４と判定部５とに渡す。
【００１７】
記憶部４は、反応情報生成部３から受け取った反応情報を記憶する。図２は、記憶部４で記憶されている反応情報の一例を示す図である。図２で示されるように、反応情報は、ＩＮＤＥＸに対応付けられて記憶されている。このＩＮＤＥＸは、レコードを識別するための情報であり、表管理上の要請のために存在する。
【００１８】
判定部５は、反応情報生成部３から受け取った反応情報と、記憶部４で記憶された反応情報とに基づいて、反応情報生成部３から受け取った反応情報に対応する検査に関する判定を行う。その判定の結果は、出力部６に渡される。
【００１９】
出力部６は、判定部５から受け取った判定結果を出力する。ここで、出力の形態としては、印刷や、通信回線を介した通信、音声出力、表示（画像）出力、複数のＬＥＤのうち、所定のＬＥＤを点灯させることによる出力などを含む。また、出力部６は、出力デバイス（例えば、プリンタや、通信手段、スピーカ、ディスプレイなど）を含み、判定結果を印刷等により出力してもよく、あるいは出力デバイスを含まず、その出力デバイスに判定結果を出力するものであってもよい。
【００２０】
次に、本実施の形態による反応検査装置の動作について説明する。まず、表示部１による２個の数字の表示について説明する。図３は、表示部１の動作を示すフローチャートである。ここで、このフローチャートにおいて、表示部１は２個の数字を１０回表示するものとする。
【００２１】
ステップＳ１０１において、表示部１は、”Ｉ”を１に設定する。
ステップＳ１０２において、表示部１は、乱数発生処理により発生された２個のランダムな数字を表示する。また、その表示データ（すなわち、表示した２個の数字のデータ）を反応情報生成部３に渡す。
【００２２】
その表示に対して、ユーザは２個の数字を足した結果の下一桁を、反応受付部２に入力する。反応受付部２は、ユーザからの反応を受け付けると、その旨を表示部１に渡し、また、反応の内容を反応情報生成部３に渡す。
【００２３】
ステップＳ１０３において、表示部１は、反応受付部２から反応を受け付けた旨を受け取ったかどうかを判断する。受け取っていればステップＳ１０４に進み、受け取っていなければ、受け取るまでステップＳ１０３の処理を繰り返す。
【００２４】
ステップＳ１０４において、表示部１は、”Ｉ”が１０であるかどうかを判断する。”Ｉ”が１０であれば終了となり、”Ｉ”が１０でなければ（例えば、３であれば）、ステップＳ１０５に進む。
ステップＳ１０５において、表示部１は、”Ｉ”を１だけインクリメントして、ステップＳ１０２に戻る。
【００２５】
次に、反応情報生成部３の動作について説明する。図４は、反応情報生成部３の動作を示すフローチャートである。図４で示される一連の処理は、１回の検査の開始から終了までの反応情報生成部３の行う動作である。
【００２６】
ステップＳ２０１において、１回の検査が開始されると、反応情報生成部３は、時間測定を開始する。例えば、反応情報生成部３の有する計時手段（図示せず）により、計時を開始する。
【００２７】
ステップＳ２０２において、”Ｉ”を１に設定し、”Ｊ”を０に設定する。
ステップＳ２０３において、反応情報生成部３は、表示部１から表示データを受け取ったかどうかを判断する。受け取った場合にはステップＳ２０４に進み、受け取っていない場合には、表示データを受け取るまでステップＳ２０３の処理を繰り返す。
【００２８】
ステップＳ２０４において、反応情報生成部３は、反応受付部２から反応データを受け取ったかどうかを判断する。受け取った場合にはステップＳ２０５に進み、受け取っていない場合には、反応データを受け取るまでステップＳ２０４の処理を繰り返す。
【００２９】
ステップＳ２０５において、反応情報生成部３は、表示部１から受け取った表示データと、反応受付部２から受け取った反応データとが整合するかどうかを判断する。具体的には、表示データである２個の数字のデータにより、その２個の数字の和を求め、その和の下一桁が、反応データの示す数字と一致するかどうかを判断する。一致する場合には整合が取れていると判断し、一致しない場合には整合が取れていないと判断する。そして、表示データと反応データとが整合する場合にはステップＳ２０６に進み、整合しない場合にはステップＳ２０７に進む。
【００３０】
ステップＳ２０６において、反応情報生成部３は、”Ｊ”を１だけインクリメントする。
ステップＳ２０７において、反応情報生成部３は、”Ｉ”が１０であるかどうかを判断する。１０である場合にはステップＳ２０９に進み、１０でない場合（例えば、８である場合）には、ステップＳ２０８に進む。
【００３１】
ステップＳ２０８において、反応情報生成部３は、”Ｉ”を１だけインクリメントして、ステップＳ２０３の処理に戻る。
ステップＳ２０９において、反応情報生成部３は、ステップＳ２０１で開始した時間測定を終了する。例えば、計時手段による計時を終了させる。
【００３２】
ステップＳ２１０において、反応情報生成部３は、ステップＳ２０９で終了した時間測定の結果（すなわち、測定時間）と、”Ｊ”とを記憶部４と、判定部５とに渡す。この測定時間と”Ｊ”とからなる情報が反応情報である。ここで、この”Ｊ”は、１０回の数字の表示のうち、表示と反応とが整合した回数（整合数）を示すものである。このようにして、反応情報生成部３により反応情報が生成される。
【００３３】
次に、反応情報が生成された後の動作について説明する。記憶部４は、反応情報生成部３から反応情報を受け取ると、その受け取った反応情報を記憶する。例えば、測定時間”９．６（秒）”と、”Ｊ＝１０”とからなる反応情報を受け取った場合には、その反応情報をＩＮＤＥＸが０のレコードに記憶する（図２参照）。なお、次の反応情報を受け取った場合には、０から９までの各ＩＮＤＥＸを１だけインクリメントし、ＩＮＤＥＸが１０であるレコードのＩＮＤＥＸを０として、そのレコードに受け取った反応情報を上書きで記憶する。
【００３４】
判定部５は、反応情報生成部３から反応情報を受け取ると、記憶部４を参照し、反応情報生成部３から受け取った反応情報よりも以前の検査に対応する反応情報を読み出す。そして、記憶部４から読み出した過去の反応情報と、反応情報生成部３から受け取った現在の反応情報とに基づいて、現在の反応情報に関する判定を行う。この判定では、現在の反応情報に対応する検査の結果の良否などが判定される。そして、その判定結果は、出力部６に渡され、出力部６により出力される。例えば、出力部６が表示出力を行う場合には、所定のディスプレイに判定結果の表示が行われる。
【００３５】
次に、本実施の形態による反応検査装置の動作について、具体例を用いて説明する。この具体例では、携帯電話を反応検査装置として用いる場合について説明する。
【００３６】
まず、携帯電話を操作することにより、検査モードに設定する。すると、図５（ａ）で示されるように、携帯電話２０のディスプレイ２１に「検査を開始しますか」という表示がなされる。これに対して、ユーザ（被験者）がＯＫボタン２２を押すと検査が開始される。検査が開始されると、反応情報生成部３による時間測定が開始される（ステップＳ２０１）。また、図５（ｂ）で示されるように、表示部１は、ディスプレイ２３に乱数発生処理により発生された２個の数字「４」と「３」の表示を行う（ステップＳ１０２）。その表示データである数字「４」、「３」は、表示部１から反応情報生成部３に渡される。この表示に対して、ユーザが両者を足した結果である「７」を、０から９までのボタン２３を使って入力したとする。すると、その入力を反応受付部２が受け付け、反応を受け付けた旨を表示部１に渡し、また、その受け付けた反応データである数字「７」を反応情報生成部３に渡す。反応情報生成部３は、表示部１から表示データを受け取ったと判断し（ステップＳ２０３）、反応受付部２から反応データを受け取ったと判断する（ステップＳ２０４）。そして、両者が整合するかどうかを判断する。ここで、４＋３＝７であるので、反応情報生成部３は両者が整合すると判断し（ステップＳ２０５）、”Ｊ”をインクリメントして、次の表示データ等の受け付けに備える（ステップＳ２０６〜Ｓ２０８、Ｓ２０３）。
【００３７】
表示部１は、反応受付部２から反応を受け付けた旨を受け取ると、新たな表示を行う（ステップＳ１０３〜Ｓ１０５，Ｓ１０２）。このようにして、ディスプレイ２１への２個の数字の表示と、それに対応する反応の受け付けと、表示データと反応データとが整合するかどうかの判断とが繰り返し行われる。そして、その表示等が１０回繰り返された後に、反応情報生成部３による時間測定が終了され（ステップＳ２０９）、反応情報が記憶部４と、判定部５とに渡される。また、ユーザに対しては、携帯電話２０のブザーが鳴ることにより、検査が終了した旨が通知される。ここで、時間測定開始（ステップＳ２０１）から時間測定終了（ステップＳ２０９）までの時間が９．６秒であり、表示データと反応データとがすべて整合した場合には、反応情報は、”測定時間＝９．６秒、整合数（Ｊ）＝１０”となる。記憶部４は、その反応情報を記憶する。その反応情報を記憶した後の記憶部４で記憶されている反応情報は、例えば、図２で示されるようになる。
【００３８】
判定部５が判定を行うにあたって、”好調度”を用いるとする。ここで、好調度とは、以下の式により算出されるものである。
2005000191.tif 000003
【００３９】
例えば、上記の例の反応情報に対して、好調度を求めると、６１．５となったとする。ただし、表示回数は１０回であり、平均測定時間を９．７１（秒）とし、最小測定時間を９．２（秒）としており、図２で示されるＩＮＤＥＸが０から１０までの測定時間を用いて、ＩＮＤＥＸが０の反応情報（反応情報生成部３から受け取った反応情報と同じもの）に対して好調度を求めた。
【００４０】
仮に、好調度が６０以上を”好調”とし、好調度が５０以上、６０未満を”普通”とし、好調度が５０未満を”不調”とする。すると、判定部５は反応情報生成部３から受け取った反応情報に対して「好調」であると判定し、その旨を出力部６に渡す。出力部６は、判定部５から判定結果を受け取ると、図５（ｃ）で示されるように、ディスプレイ２１に「好調」と表示し、過去の検査結果に照らして、今回の検査結果が良好である旨を表示する。なお、この具体例のように、反応検査装置において、表示部１と出力部６とが同じ出力（表示）デバイス（ディスプレイ２１）を用いてもよい。
【００４１】
このように、本実施の形態による反応検査装置によれば、反応情報生成部３で反応情報を生成し、その情報を記憶部４で記憶し、その記憶された過去の反応情報を用いて、判定部５が現在の反応情報に関する判定を行うことで、好調、普通、不調などの被験者の状態に関する判定を行うことができる。特に、上記説明の好調度は、計算のスピードに関する部分と計算の正確性に関する部分とを掛け合わせたものであり、被験者の疲労の度合いによって、好調度は変化すると考えられる。疲労していれば、普段よりも計算のスピードが遅くなったり、計算の正確性（整合性）が悪くなったりすると考えられるからである。したがって、過去の反応情報を用いて算出した好調度により求められた好調、普通などの指標を、疲労度を示す指標として用いることができる。そして、この判定結果（普通や好調など）を用いて、被験者に対する仕事量や勤務時間などを設定することもできる。例えば、”不調”と判断された場合には、仕事量を減らしてもよく、残業をしないようにしてもよい。
【００４２】
さらに、上記説明のように、現在の反応情報から、所定回（例えば１０回など）以前までの反応情報を用いて判定を行うことにより、検査に慣れることや、加齢等による反応情報の変化による影響を抑えながら、判定を行うことができるメリットがある。したがって、より正確に被験者の状態等を判定することができるようになる。
【００４３】
なお、上記説明では、クレペリン検査に相当する検査を被験者（ユーザ）に対して行う反応検査装置について説明したが、反応検査装置は、クレペリン検査以外の検査を被験者に対して行うものであってもよい。すなわち、表示部１が２以上の記号（数字や文字、あるいは四角や三角などの図形など）を表示し、２以上の記号の表示に対する反応を反応受付部２が受け付けるようにしてもよい。この場合には、その表示に従った対応をユーザに要求し、その対応に従った反応をユーザから受け付けることとなる。例えば、漢字を表示し、その漢字に対応する読み仮名をユーザからの反応として受け付けてもよい。
【００４４】
また、本実施の形態では、表示部１が乱数発生処理により発生された２個の数字をランダムに表示する場合について説明したが、表示部１による表示は、ランダムでなく、検査に適切な所定のルールに従ったものであってもよい。例えば、２個の数字を表示し、それらを足す作業をユーザに課すクレペリン検査においては、少なくとも１個の数字が”０”であると、計算することなく反応できるため、”０”を省くというルールに従ってもよい。
【００４５】
また、反応受付部２は、入力デバイスから直接反応を受け付けるものであってもよく、または入力デバイスから有線、もしくは無線により送信された反応を受け付けるものであってもよい。例えば、反応検査装置をテレビ受像機を用いて実現した場合に、ユーザは、テレビ受像機のリモコンを用いて表示に対する反応を入力する。そして、そのリモコンからの信号を、テレビ受像機の赤外線受光部により受光することにより、ユーザからの反応を受け付けてもよい。
【００４６】
また、反応情報生成部３による反応情報の生成については、上記説明に限定されるものではなく、測定時間や整合数以外の情報を含む反応情報を生成してもよい。例えば、反応を受け付けた旨を記録するだけでもよく、あるいは、反応検査装置による検査が所定の検査時間にわたって行われ、その検査時間におけるユーザからの反応数をカウントして、そのカウント値を反応情報に含めてもよい。後者の具体例としては、反応情報生成部３が図６で示されるフローチャートの動作を行う場合が考えられる。図６において、ステップＳ３０１以外の処理は、図４とほぼ同様である。図６のフローチャートでは、例えば、検査時間が３０秒に設定されており、表示の開始（１回目の表示）から３０秒後までのユーザからの反応を受け付ける。そして、３０秒が経過すると、時間切れと判断され（ステップＳ３０１）、その３０秒間に受け付けた反応の回数（Ｉ）と、整合数（Ｊ）とから構成される反応情報が記憶部４等に渡される。
【００４７】
このように、反応情報は、反応に関する時間の情報（例えば、本実施の形態における測定時間など）及び／または回数の情報（例えば、図６のフローにおける反応に関するカウント値”Ｉ”）を含んでもよく、また、表示と反応との整合性に関する情報（例えば、本実施の形態における整合数）を含んでもよい。あるいは、反応情報が、測定時間や整合数などに基づいて算出される所定の値などであってもよい。
【００４８】
また、記憶部４は、記憶デバイス（例えば、ハードディスクやメモリなど）を含んでもよく、あるいは記憶デバイスを含まず、記憶デバイスに反応情報を記憶するものであってもよい。
さらに、記憶部４は、反応情報生成部３から受け取った情報のすべてを記憶するのではなく、その一部を記憶してもよい。例えば、本実施の形態においては、判定部５による判定において過去の整合数（Ｊ）を用いないため、記憶部４は整合数を記憶しなくてもよい。
【００４９】
また、判定部５は、現在の反応情報に関する判定を行うとしたが、現在より以前の反応情報に関して判定を行ってもよい。すなわち、ある特定の回の検査に関して、その特定の回の検査に対応する反応情報と、その特定の回の検査より以前の検査に対応する、記憶部４で記憶されている反応情報とに基づいて判定を行ってもよい。なお、その特定の回の検査より以前の検査に対応する反応情報は、本実施の形態のように、特定の回の検査から、所定回以前（例えば、１０回など）までのそれぞれの検査に対応する反応情報であってもよく、そのように回数が制限されない、それまでに記憶されてきている反応情報であってもよい。
【００５０】
さらに、判定部５による判定方法は、上記説明の好調度を用いたものに限定されない。反応情報を用いた他の指標により判定を行ってもよい。例えば、過去の測定時間の平均値の逆数に整合数の平均値を掛けたものと、現在の測定時間の逆数に整合数を掛けたものとを比較することにより判定を行ってもよい。
【００５１】
さらにまた、判定部５は、記憶部４で記憶された反応情報のうち、特定の回の検査の時点から所定の期間以内である反応情報に基づいて判定を行うようにしてもよい。この場合には、記憶部４が記憶する反応情報の各レコードには、検査の行われた時間に関する情報も含まれており、判定部５はその時間に関する情報を参照することにより、例えば、特定の回の検査の時点から、その検査より１か月以前の時点までに生成された反応情報を用いて判定を行うようにしてもよい。
【００５２】
また、判定結果の出力部６による出力は、ディスプレイによる表示やプリンタによる印刷であってもよく、あるいは、判定結果の所定の情報処理装置に対する送信であってもよい。その送信は無線通信でもよく、有線通信でもよい。
【００５３】
また、上記実施の形態において、上記説明中でも説明したように、ソフトウェアにより実現できる構成要素については、プログラム制御によるソフトウェアにより実現してもよく、あるいはハートウェアにより実現してもよい。
【００５４】
【発明の効果】
以上の説明から明らかなように、本発明によれば、ある検査に対して、それより以前の検査の結果に基づいて、被験者の状態等に関する判定を行うことができる。
【図面の簡単な説明】
【図１】本発明の実施の形態による反応検査装置の構成を示すブロック図
【図２】本発明の実施の形態による反応情報の一例を示す図
【図３】本発明の実施の形態における表示部の処理を示すフローチャート
【図４】本発明の実施の形態における反応情報生成部の処理を示すフローチャート
【図５】本発明の実施の形態による反応処理装置の具体例について説明するための図
【図６】本発明の実施の形態における反応情報生成部の処理を示すフローチャート
【符号の説明】
１  表示部
２  反応受付部
３  反応情報生成部
４  記憶部
５  判定部
６  出力部
２０  携帯電話
２１  ディスプレイ
【図１】
2005000191.tif 000004
【図２】
2005000191.tif 000005
【図３】
2005000191.tif 000006
【図４】
2005000191.tif 000007
【図５】
2005000191.tif 000008
【図６】
2005000191.tif 000009